(57)【要約】【課題】半導体メモリプレイヤーなどの音楽データの作成は、予めエンコード作業を要する場合があり、初心者には扱いづらいものであった。【解決手段】プレイヤー１００のプレイヤー内蔵メモリ１１０から異なるエンコードポリシーで生成されたサンプルデータ２０や既存データ３０を再生して所望の音質を選択する。選択されたサンプルデータ２０や既存データ３０から使用するエンコードポリシー４０をエンコードポリシー生成部６０で生成する。エンコードポリシー４０は、プレイヤー側インタフェース１８０及びコンポ側インタフェース２８０を介しエンコーダ２０５に設定され、エンコード済みデータ５０を得る。【選択図】図１
2007141281.tif 000002
【特許請求の範囲】
【請求項１】
所定の形式で符号化され記録媒体に記録されたコンテンツのデータを処理する音声信号処理装置であって、
前記記録媒体内のデータから符号化のためのエンコードポリシーを解析するエンコーポリシー解析手段と、
解析したエンコードポリシーを前記記録媒体の特定領域または特定ファイルに書き込むエンコードポリシー保存手段と、を有する音声信号処理装置。
【請求項２】
前記エンコードポリシー解析手段は、前記記録媒体のフォルダ毎のデータから用途別の前記エンコードポリシーを解析する請求項１記載の音声信号処理装置。
【請求項３】
前記記録媒体のデータに付けられたタグ情報のうちの１つの情報からグループ分けを行なうグループ分け手段を有し、
前記エンコードポリシー解析手段は、前記グループ毎にエンコードポリシーを解析する請求項１記載の音声信号処理装置。
【請求項４】
前記記録媒体のデータに付けられたタグ情報のうちの２以上の情報からグループ分けを行なうグループ分け手段を有し、
前記エンコードポリシー解析手段は、前記グループ毎にエンコードポリシーを解析する請求項１記載の音声信号処理装置。
【請求項５】
エンコードポリシーの異なる複数のサンプルデータを再生し、所望の品質のサンプルデータを選択させるサンプルデータ選択手段を備え、
前記エンコードポリシー解析手段は、選択されたサンプルデータから符号化のためのエンコードポリシーを解析する請求項１記載の音声信号処理装置。
【請求項６】
符号化対象のコンテンツの少なくとも一部を異なるエンコードポリシーで符号化し、前記複数のサンプルデータを生成するサンプルデータ生成手段を有する請求項５記載の音声信号処理装置。
【請求項７】
所定の形式で符号化され記録媒体に記録されたコンテンツのデータを処理する音声信号処理装置であって、
前記記録媒体に保存されたエンコードポリシーを読み込むエンコードポリシー読み込み手段と、
前記エンコードポリシーを符号化手段に設定するエンコードポリシー設定手段と、を有する音声信号処理装置。
【請求項８】
符号化対象のコンテンツのタグ情報と、前記エンコードポリシー内の用途別フォルダ名を比較し、前記記録媒体のフォルダ毎の用途別エンコードポリシーから対応するエンコードポリシーを決定するエンコードポリシー決定手段を有し、
前記決定されたエンコードポリシーを符号化手段に設定する請求項７記載の音声信号処理装置。
【請求項９】
前記タグ情報と用途別フォルダ名の比較は、文字列比較によって行なう請求項８記載の音声信号処理装置。
【請求項１０】
前記タグ情報と用途別フォルダ名の比較は、ハッシュ値の比較によって行なう請求項８記載の音声信号処理装置。
【請求項１１】
符号化対象のコンテンツのタグ情報のうちの１つの情報と、前記エンコードポリシー内のタグ情報グループ名を比較し、前記記録媒体のデータのグループ毎のエンコードポリシーから対応するエンコードポリシーを決定するエンコードポリシー決定手段を有し、
前記決定されたエンコードポリシーを符号化手段に設定する請求項７記載の音声信号処理装置。
【請求項１２】
前記タグ情報とタグ情報グループ名の比較は、文字列比較によって行なう請求項１１記載の音声信号処理装置。
【請求項１３】
前記タグ情報とタグ情報グループ名の比較は、ハッシュ値の比較によって行なう請求項１１記載の音声信号処理装置。
【請求項１４】
符号化対象のコンテンツのタグ情報のうちの２以上の情報と、前記エンコードポリシー内の複数タグ情報グループ名を比較し、前記記録媒体のデータのグループ毎のエンコードポリシーから対応するエンコードポリシーを決定するエンコードポリシー決定手段を有し、
前記決定されたエンコードポリシーを符号化手段に設定する請求項７記載の音声信号処理装置。
【請求項１５】
前記タグ情報と複数タグ情報グループ名の比較は、文字列比較によって行なう請求項１４記載の音声信号処理装置。
【請求項１６】
前記タグ情報と複数タグ情報グループ名の比較は、ハッシュ値の比較によって行なう請求項１４記載の音声信号処理装置。
【請求項１７】
エンコードポリシーの異なる複数のサンプルデータを再生し、所望の品質のサンプルデータを選択させるサンプルデータ選択手段を備え、
前記エンコードポリシー設定手段は、選択されたサンプルデータのエンコードポリシーを設定する請求項７記載の音声信号処理装置。
【請求項１８】
符号化対象のコンテンツの少なくとも一部を異なるエンコードポリシーで符号化し、前記複数のサンプルデータを生成するサンプルデータ生成手段を有する請求項１７記載の音声信号処理装置。
【請求項１９】
符号化対象のコンテンツのタグ情報から保存先フォルダ名を生成する保存先フォルダ名生成手段と、
前記保存先フォルダ名のフォルダを生成し、符号化されたコンテンツを記録するデータ保存手段と、を有する請求項７記載の音声信号処理装置。
【発明の詳細な説明】
【技術分野】
【０００１】
本発明は、音楽などのコンテンツを記録、再生する音声信号処理装置に関するものである。
【背景技術】
【０００２】
近年、半導体メモリプレイヤーなどの機器が普及している。これらの機器は、エンコードされたコンテンツのデータを扱うが、エンコードにおけるコーデック（圧縮方法）や設定パラメータなどにより種々の用途が存在する。これら半導体メモリプレイヤーなどの音楽データの作成は、主にパーソナルコンピュータ（以下、ＰＣ）でエンコード作業を行い、エンコードされたデータを半導体プレイヤーにダウンロードする（例えば、特許文献１）。しかしながら、このエンコード作業は、初心者には敷居の高いものであった。ＰＣを使用しなくても音楽データが作成できるオーディオコンポが世に出て来ているが、エンコードに先立って、使用するコーデックやビットレート等のエンコーダ設定を行う必要があり、依然として初心者には、解りやすいとは言えない。
【特許文献１】特表２００５−５０２９７９号公報
【発明の開示】
【発明が解決しようとする課題】
【０００３】
従来、半導体メモリプレイヤーなどの音楽データの作成にはエンコーダに関する知識が必要とされ、初心者には敷居の高いものであった。本発明では使用するコーデックやビットレート等のエンコーダ設定を自動化し、ユーザに煩雑な設定を意識させることなく、簡単な操作によるエンコードを可能にする。
【課題を解決するための手段】
【０００４】
上記課題を解決するために本発明の音声信号処理装置は、所定の形式で符号化され記録媒体に記録されたコンテンツのデータを処理する音声信号処理装置であって、前記記録媒体内のデータから符号化のためのエンコードポリシーを解析するエンコーポリシー解析手段と、解析したエンコードポリシーを前記記録媒体の特定領域または特定ファイルに書き込むエンコードポリシー保存手段と、を有する。
【０００５】
ここで、前記エンコードポリシー解析手段は、前記記録媒体のフォルダ毎のデータから用途別の前記エンコードポリシーを解析するとしてもよい。
【０００６】
また、前記記録媒体のデータに付けられたタグ情報のうちの１つの情報からグループ分けを行なうグループ分け手段を有し、前記エンコードポリシー解析手段は、前記グループ毎にエンコードポリシーを解析するとしてもよい。
【０００７】
また、前記記録媒体のデータに付けられたタグ情報のうちの２以上の情報からグループ分けを行なうグループ分け手段を有し、前記エンコードポリシー解析手段は、前記グループ毎にエンコードポリシーを解析するとしてもよい。
【０００８】
また、エンコードポリシーの異なる複数のサンプルデータを再生し、所望の品質のサンプルデータを選択させるサンプルデータ選択手段を備え、前記エンコードポリシー解析手段は、選択されたサンプルデータから符号化のためのエンコードポリシーを解析するとしてもよい。また、符号化対象のコンテンツの少なくとも一部を異なるエンコードポリシーで符号化し、前記複数のサンプルデータを生成するサンプルデータ生成手段を有するとしてもよい。
【０００９】
また、本発明の音声信号処理装置は、所定の形式で符号化され記録媒体に記録されたコンテンツのデータを処理する音声信号処理装置であって、前記記録媒体に保存されたエンコードポリシーを読み込むエンコードポリシー読み込み手段と、前記エンコードポリシーを符号化手段に設定するエンコードポリシー設定手段と、を有する。
【００１０】
ここで、符号化対象のコンテンツのタグ情報と、前記エンコードポリシー内の用途別フォルダ名を比較し、前記記録媒体のフォルダ毎の用途別エンコードポリシーから対応するエンコードポリシーを決定するエンコードポリシー決定手段を有し、前記決定されたエンコードポリシーを符号化手段に設定するとしてもよい。また、前記タグ情報と用途別フォルダ名の比較は、文字列比較によって行なう、あるいは、前記タグ情報と用途別フォルダ名の比較は、ハッシュ値の比較によって行なうとしてもよい。
【００１１】
また、符号化対象のコンテンツのタグ情報のうちの１つの情報と、前記エンコードポリシー内のタグ情報グループ名を比較し、前記記録媒体のデータのグループ毎のエンコードポリシーから対応するエンコードポリシーを決定するエンコードポリシー決定手段を有し、前記決定されたエンコードポリシーを符号化手段に設定するとしてもよい。また、前記タグ情報とタグ情報グループ名の比較は、文字列比較によって行なう、あるいは、前記タグ情報とタグ情報グループ名の比較は、ハッシュ値の比較によって行なうとしてもよい。
【００１２】
また、符号化対象のコンテンツのタグ情報のうちの２以上の情報と、前記エンコードポリシー内の複数タグ情報グループ名を比較し、前記記録媒体のデータのグループ毎のエンコードポリシーから対応するエンコードポリシーを決定するエンコードポリシー決定手段を有し、前記決定されたエンコードポリシーを符号化手段に設定するとしてもよい。また、前記タグ情報と複数タグ情報グループ名の比較は、文字列比較によって行なう、あるいは、前記タグ情報と複数タグ情報グループ名の比較は、ハッシュ値の比較によって行なうとしてもよい。
【００１３】
また、エンコードポリシーの異なる複数のサンプルデータを再生し、所望の品質のサンプルデータを選択させるサンプルデータ選択手段を備え、前記エンコードポリシー設定手段は、選択されたサンプルデータのエンコードポリシーを設定するとしてもよい。また、符号化対象のコンテンツの少なくとも一部を異なるエンコードポリシーで符号化し、前記複数のサンプルデータを生成するサンプルデータ生成手段を有するとしてもよい。
【００１４】
また、符号化対象のコンテンツのタグ情報から保存先フォルダ名を生成する保存先フォルダ名生成手段と、前記保存先フォルダ名のフォルダを生成し、符号化されたコンテンツを記録するデータ保存手段と、を有するとしてもよい。
【発明の効果】
【００１５】
以上のように本発明によれば、記録媒体内に既存のデータがあれば、自動的にそのデータと同じエンコーダ設定で新しいコンテンツのデータをエンコードすることができる。この動作をフォルダやＩＤタグ情報による分類の単位毎に行うことで、例えばオーディオデータを録音する際の設定や、英会話データを録音する時の設定を使い分けるといったことができる。従って、音声信号処理装置で、毎回、エンコーダ設定を行ったり、分類の単位毎に複数の設定を保存しておく必要がなくなる。
【００１６】
さらに、記録媒体内に、予め同じ内容のデータを異なる複数のエンコーダ設定でエンコードしたサンプルデータを保存しておき、視聴の上、ユーザに望む音質のサンプルオーディオデータを選択してもらい、符号化手段がそのサンプルオーディオデータのエンコーダ設定を取り込めば、実際にユーザが望む音質に近い、エンコーダ設定を自動的に行うことができる。これによって、エンコーダ設定に対する知識ないユーザに対して、煩雑な設定を意識させることなく、簡単な操作によって所望の音質でのエンコードが可能になる。
【発明を実施するための最良の形態】
【００１７】
以下の、本発明の実施の形態について、図面を用いて説明する。
【００１８】
まず、本発明の音声信号処理装置は、その実施の形態として、オーディオコンポとして実現される場合、プレイヤーとして実現される場合、また、接続可能なオーディオコンポとプレイヤーとからなるオーディオシステムとして実現される場合がある。よって、オーディオコンポとプレイヤーとからなるオーディオシステムを便宜上、音声信号処理装置として表現するが、一部の構成のみでも本発明を実施可能な場合がある。
【００１９】
また、記録媒体としても、オーディオコンポに内蔵される場合、プレイヤーに内蔵される場合、メモリカードとしてオーディオコンポに着脱される場合、メモリカードとしてプレイヤーに着脱される場合がある。また、オーディオコンポとプレイヤーが接続され、一方が他方の内蔵メモリまたは着脱されるメモリカードを記録媒体として取り扱う場合もある。このように種々の利用形態があるので、本発明は以下の実施の形態に限定されるものではない。
【００２０】
（実施の形態１）
図１は、本発明の実施の形態１による音声信号処理装置の構成を示すブロック図である。
【００２１】
図１において、１００はプレイヤー、２００はオーディオコンポ、３００はメモリカードであり、オーディオシステムを構成する。
【００２２】
プレイヤー１００は、演算制御部１０１と、主記憶装置１０２と、少なくともサンプルデータ選択手段の機能を有する操作入力装置１０３と、デコーダ１０６と、出力装置１０７と、プレイヤー内蔵メモリ１１０と、エンコードポリシー解析手段及びエンコードポリシー保存手段としてのエンコードポリシー生成部６０と、プレイヤー側インタフェース１８０と、プレイヤー側メモリカードインタフェースとを備える。プレイヤー内蔵メモリ１１０は、その内部に色々なエンコーダ、ビットレートなど、異なるエンコードポリシーで予めエンコードし保存されたサンプルデータ２０、およびユーザが既に保存している既存データ３０を保存している。エンコードポリシー生成部６０は、データのヘッダを解析してエンコードポリシー４０を抜き出す。ここで、エンコードポリシー４０とは、エンコーダの種別、ビットレートなどコンテンツを符号化する際に用いられるものである。
【００２３】
オーディオコンポ２００は、演算制御部２０１と、主記憶装置２０２と、操作入力装置２０３と、ＣＤやＭＤ、あるいはＦＭラジオなどの録音対象であるコンテンツソース２０４と、エンコーダ２０５と、デコーダ２０６と、出力装置２０７と、オーディオコンポ内蔵メモリ２１０と、エンコードポリシー読み込み手段及びエンコードポリシー設定手段としてのエンコードポリシー４０を読み出すエンコードポリシー処理部７０と、コンポ側インタフェース２８０と、コンポ側メモリカードインタフェース２９０とを備える。
【００２４】
演算制御部１０１は、プレイヤー１００で使用する音楽データのエンコードポリシー４０が設定されていない場合は自動的に、またはユーザが操作入力装置１０３によって、プレイヤー１００で使用する音楽データの音質を選択する指示を出した際には、デコーダ１０６、出力装置１０７を制御して、プレイヤー内蔵メモリ１１０内のサンプルデータ２０を再生し、ユーザに再生したサンプルデータの中から選択を促す指示を出す。そして、ユーザは操作入力装置１０３によって、サンプルデータ２０、あるいは存在するならばユーザが既に保存している既存データ３０を切替えて試し聞きを行い、ユーザが希望する音質のサンプルデータ２０あるいは既存データ３０を選択することができる。
【００２５】
あるサンプルデータ２０または既存データ３０が選択されると、演算制御部１０１は、エンコードポリシー生成部６０を制御してユーザに選択されたデータのヘッダを解析してエンコードポリシー４０を抜き出し、プレイヤー内蔵メモリ１１０内にエンコードポリシー４０として保存する。エンコードポリシー４０は、プレイヤー内蔵メモリ１１０の特定の領域（アドレスやディレクトリなど）や特定のファイルとして保存される。
【００２６】
この状態でプレイヤー側インタフェース１８０とコンポ側インタフェース２８０によって、プレイヤー１００とオーディオコンポ２００が接続され、オーディオコンポ２００側の操作入力装置２０３により録音操作が行われると、演算制御部２０１はエンコードポリシー処理部７０を制御してプレイヤー内蔵メモリ１１０に保存されているエンコードポリシー４０を読み出し、エンコーダ２０５に対してそのエンコードポリシー４０の内容を設定する。次に演算制御部２０１は、コンテンツソース２０４にセットされたＣＤやＭＤなどのソースから原信号を取り出し、エンコーダ２０５に原信号を渡して、エンコードを指示する。
【００２７】
エンコーダ２０５は設定されたエンコードポリシー４０に従い、エンコード済みデータ５０を作成し、オーディオコンポ内蔵メモリ２１０、プレイヤー内蔵メモリ１１０、またはコンポ側メモリカードインタフェース２９０を介してメモリカード３００に対して保存することができる。
【００２８】
以上によって、エンコードポリシー４０に対する知識を必要とせず、希望する音質のサンプルデータ２０または既存データ３０を選択するだけで、エンコーダ２０５に対してエンコードポリシー４０の設定を行うことができる。すなわち、本実施の形態によれば、プレイヤー内蔵メモリ１１０内のデータからエンコードポリシー４０を生成することができる。
【００２９】
（実施の形態２）
図２は、本発明の実施の形態２による音声信号処理装置の構成を示すブロック図である。
【００３０】
図２に示すように、本実施の形態によるオーディオシステムは、実施の形態１に示したものと、プレイヤー内蔵メモリ１１０が、内部にサンプルデータ２０と既存データ３０を持たない点、メモリカード３００が、内部にサンプルデータ２０および既存データ３０を保存している点、が異なる。
【００３１】
また、実施内容については、実施の形態１では、サンプルデータ２０と既存データ３０の参照先とエンコードポリシーの保存先がそれぞれ、プレイヤー内蔵メモリ１１０であったが、本実施の形態では、メモリカード３００になっている。そのため、プレイヤー側メモリカードインタフェース１９０、およびコンポ側メモリカードインタフェース２９０を介してメモリカード３００にアクセスを行うものとする。
【００３２】
その他の点は、実施の形態１の記載内容と同一のため、以下の説明は省略する。すなわち、本実施の形態によれば、メモリカード３００内のデータからエンコードポリシー４０を生成することができる。
【００３３】
（実施の形態３）
図３は、本発明の実施の形態３による音声信号処理装置の構成を示すブロック図である。
【００３４】
図３に示すように、本実施の形態によるオーディオシステムは、実施の形態１に示したものと、プレイヤー１００側にあったエンコードポリシー生成部６０が無くなり、オーディオコンポ２００側に移動している点が異なる。
【００３５】
まず、プレイヤー側インタフェース１８０とコンポ側インタフェース２８０によって、プレイヤー１００とオーディオコンポ２００が接続される。
【００３６】
次にオーディオコンポ２００側で、操作入力装置２０３により録音操作が行われると、演算制御部２０１は、プレイヤー内蔵メモリ１１０にエンコードポリシー４０が存在しない場合は、デコーダ２０６、出力装置２０７を制御してサンプルデータ２０を再生し、ユーザにサンプルデータの中からの選択を促す指示を出す。この際、サンプルデータ２０の再生は、プレイヤー側インタフェース１８０、コンポ側インタフェース２８０を介して行なわれる。
【００３７】
そして、ユーザは操作入力装置２０３によって、サンプルデータ２０、あるいは存在するならばユーザが既に保存している既存データ３０を切替えて試し聞きを行い、ユーザが希望する音質のサンプルデータ２０あるいは既存データ３０を選択することができる。あるいは、デコーダ２０６にサンプルデータ生成手段の機能を持たせて、現在ユーザが録音しようとしているコンテンツソース２０４の原信号を即座に複数の異なるエンコードポリシー４０でエンコードして、再生、選択させてもよい。
【００３８】
プレイヤー内蔵メモリ１１０にエンコードポリシー４０が存在していた場合、および、あるサンプルデータ２０または既存データ３０が選択された場合、次に演算制御部２０１は、エンコードポリシー生成部６０を制御してそのデータのヘッダを解析してエンコードポリシー４０を抜き出すと、プレイヤー内蔵メモリ１１０、およびオーディオコンポ内蔵メモリ２１０内に保存する。
【００３９】
次に演算制御部２０１は、エンコードポリシー処理部７０を制御してプレイヤー内蔵メモリ１１０、およびオーディオコンポ内蔵メモリ２１０内に保存されているエンコードポリシー４０を読み出すと、エンコーダ２０５に対してそのエンコードポリシー４０の内容を設定する。
【００４０】
次に演算制御部２０１は、コンテンツソース２０４にセットされたＣＤやＭＤなどのソースから原信号を取り出し、エンコーダ２０５に原信号を渡して、エンコードを指示する。エンコーダ２０５は設定されたエンコードポリシー４０に従い、エンコード済みデータ５０を作成し、オーディオコンポ内蔵メモリ２１０、プレイヤー内蔵メモリ１１０、またはコンポ側メモリカードインタフェース２９０を介してメモリカード３００に対して保存することができる。
【００４１】
以上によって、エンコードポリシー４０に対する知識を必要とせず、希望する音質のサンプルデータ２０または既存データ３０を選択するだけで、エンコーダ２０５に対してエンコードポリシー４０の設定を行うことができる。すなわち、本実施の形態によれば、オーディオコンポ２００によりプレイヤー内蔵メモリ１１０内のデータからエンコードポリシー４０を生成することができる。
【００４２】
（実施の形態４）
図４は、本発明の実施の形態４による音声信号処理装置の構成を示すブロック図である。
【００４３】
図４に示すように、本実施の形態によるオーディオシステムは、実施の形態３に示した内容のうち、プレイヤー内蔵メモリ１１０は内部にサンプルデータ２０と既存データ３０を持たない点、メモリカード３００は内部にサンプルデータ２０および既存データ３０を保存している点、が異なる。
【００４４】
また、実施内容については、実施の形態３に示した内容のうち、サンプルデータ２０と既存データ３０の参照先とエンコードポリシーの保存先がそれぞれ、プレイヤー内蔵メモリ１１０ではなく、メモリカード３００になっている点が異なっており、プレイヤー側メモリカードインタフェース１９０および、コンポ側メモリカードインタフェース２９０を介してメモリカード３００にアクセスを行うものである。
【００４５】
上記の点以外は、実施の形態３の記載内容と同一のため、以下の説明は省略する。すなわち、本実施の形態によれば、オーディオコンポ２００によりメモリカード３００内のデータからエンコードポリシー４０を生成することができる。
【００４６】
（実施の形態５）
図５は、本発明の実施の形態５による音声信号処理装置の構成を示すブロック図である。
【００４７】
図５に示すように、本実施の形態によるオーディオシステムは、実施の形態３に示した内容のうち、プレイヤー内蔵メモリ１１０が、その内部にサンプルデータ２０と既存データ３０を持たない点、オーディオコンポ内蔵メモリ２１０が、その内部にサンプルデータ２０および既存データ３０を保存している点が異なる。また、実施内容については、実施の形態３に示した内容のうち、サンプルデータ２０と既存データ３０の参照先とエンコードポリシーの保存先がそれぞれ、プレイヤー内蔵メモリ１１０ではなく、オーディオコンポ内蔵メモリ２１０になっている点が異なる。上記の点以外は実施の形態３の記載内容と同一のため、以下の説明は省略する。すなわち、本実施の形態によれば、オーディオコンポ２００によりオーディオコンポ内蔵メモリ２１０内のデータからエンコードポリシー４０を生成することができる。
【００４８】
（実施の形態６）
実施の形態６によるオーディオシステムの構成は、実施の形態１から５に示した内容とそれぞれ同様のもの、すなわち、本発明を適用可能なものとする。本実施の形態は、図６、図７、図１０、図１１に示すように、実施の形態１から５に示した実施内容のうち、エンコードポリシーの生成、決定、設定などに関する処理が異なる。
【００４９】
図６は、エンコードポリシーの構造を示す概念図、図７は、用途別フォルダ毎エンコードポリシーの構造を示す概念図、図１０は、用途別フォルダ毎エンコードポリシーの生成処理を示すフローチャート、図１１は、用途別フォルダ毎エンコードポリシーの設定処理を示すフローチャートである。以下、これらの相違点について、説明する。
【００５０】
まず、エンコードポリシー生成部６０は、音楽や英会話といった用途によって分けられて存在するフォルダ毎にエンコードポリシー４０を解析する。図６に示すようにエンコードポリシー４０は、エンコーダの情報、ビットレート、著作権保護情報などが含まれる。解析したエンコードポリシー４０は、用途別フォルダ名と対応付けて用途別フォルダ毎エンコードポリシー４１とする。図７は、用途別フォルダ毎エンコードポリシー４１の概念図であり、用途別のフォルダ名（フォルダＡ、フォルダＢ、・・・、フォルダＸ）と、それぞれの用途別フォルダ名に対応するエンコードポリシー４０とからなる。
【００５１】
図１０は、用途別フォルダ毎のエンコードポリシーの生成処理を示すフローチャートである。用途別フォルダ毎エンコードポリシー解析ステップ５００で、用途別のフォルダ毎にエンコードポリシーを解析し、次に、用途別フォルダ毎エンコードポリシー保存ステップ５０１で、用途別フォルダ毎エンコードポリシー４１を、プレイヤー内蔵メモリ１１０かオーディオコンポ内蔵メモリ２１０、メモリカード３００の特定の部分、または特定のファイルに書き込む。
【００５２】
次に、エンコードポリシー決定手段としてのエンコードポリシー処理部７０は、用途別フォルダ毎エンコードポリシー４１を読み込み（図１１の用途別フォルダ毎エンコードポリシー読み込みステップ５０２）、次に、現在エンコードする対象であるコンテンツのタグ情報と用途別フォルダ毎エンコードポリシー４１内の用途別フォルダ名を比較することで、対応する前記エンコードポリシー４０を決定する（用途別フォルダ毎エンコードポリシー決定ステップ５０３）。ここで、タグ情報と用途別フォルダ名の比較は、文字列の比較またはハッシュ値の比較によって行なわれる。そして、エンコードポリシー４０をエンコーダ２０５に設定する（用途別フォルダ毎エンコードポリシー設定ステップ５０４）。
【００５３】
上記の点以外は、実施の形態１から５に示した内容と同一のため、説明は省略する。
【００５４】
すなわち、本実施の形態によれば、用途別フォルダ毎に代表的なエンコードポリシー４０を決定し、各フォルダ名とエンコードポリシー４０を対にして用途別フォルダ毎エンコードポリシー４１として保存しておくことにより、エンコード時には、用途別フォルダ毎エンコードポリシー４１と、エンコード対象のコンテンツのタグ情報を比較して、エンコード対象のコンテンツの属するべきフォルダを決定し、自動的に対象フォルダのエンコードポリシー４０をエンコーダ２０５に設定することができる。
【００５５】
（実施の形態７）
実施の形態７によるオーディオシステムの構成は、実施の形態１から５に示した内容とそれぞれ同様のもの、すなわち、本発明を適用可能なものとする。また、本実施の形態は、図６、図８、図１２、図１３に示すように、実施の形態１から５に示した実施内容のうち、エンコードポリシーの生成、決定、設定などに関する処理が異なる。エンコードポリシー生成部６０はグループ分け手段を更に有するものである。
【００５６】
図８は、タグ情報グループ名毎エンコードポリシーの構造を示す概念図、図１２は、タグ情報グループ単位エンコードポリシーの生成処理を示すフローチャート、図１３は、タグ情報グループ単位エンコードポリシーの設定処理を示すフローチャートである。以下、これらの相違点について説明する。
【００５７】
まず、エンコードポリシー生成部６０はコンテンツに付けられたタグ情報のうちの１つの情報を読み込み、タグ情報のうちの１つの情報の内容によってグループ分けを行う（図１２のタグ情報によるグループ分けステップ５１０）。次に、グループ分けされた各グループ毎に、エンコードポリシー４０を解析し、タグ情報グループ名と対応付けてタグ情報グループ単位エンコードポリシー４２とする（タグ情報グループ単位エンコードポリシー解析ステップ５１１）。そして、タグ情報グループ単位エンコードポリシー４２をプレイヤー内蔵メモリ１１０、オーディオコンポ内蔵メモリ２１０、メモリカード３００の特定の部分、または特定のファイルに書き込む（タグ情報グループ単位エンコードポリシー保存ステップ５１２）。ここで、タグ情報グループ名毎エンコードポリシー４２は、図８に示すように、タグ情報グループ名（タグ情報グループＡ、タグ情報グループＢ、・・・、タグ情報グループＸ）と、それぞれのタグ情報グループ名に対応するエンコードポリシー４０とからなる。
【００５８】
次に、エンコードポリシー決定手段としてのエンコードポリシー処理部７０は、プレイヤー内蔵メモリ１１０、オーディオコンポ内蔵メモリ２１０またはメモリカード３００に保存されたタグ情報グループ単位エンコードポリシー４２を読み込む（図１３のタグ情報グループ単位エンコードポリシー読み込みステップ５１３）。次に、現在エンコードする対象であるコンテンツのタグ情報とタグ情報グループ単位エンコードポリシー４２内のタグ情報グループ名を比較することで、対応するエンコードポリシー４０を決定する（タグ情報グループ単位エンコードポリシー決定ステップ５１４）。ここで、タグ情報とタグ情報グループ名の比較は、文字列の比較またはハッシュ値の比較によって行なわれる。そして、エンコードポリシー４０をエンコーダ２０５に設定する（タグ情報グループ単位エンコードポリシー設定ステップ５１５）。
【００５９】
上記の点以外は、実施の形態１から５に示した内容と同一のため、説明は省略する。
【００６０】
すなわち、本実施の形態によれば、タグ情報グループ単位毎に代表的なエンコードポリシー４０を決定し、各タグ情報グループ名とエンコードポリシー４０を対にしてタグ情報グループ単位エンコードポリシー４２として保存しておくことにより、エンコード時には、タグ情報グループ単位エンコードポリシー４２と、エンコード対象のコンテンツのタグ情報を比較して、自動的に対象タグ情報グループのエンコードポリシー４０をエンコーダ２０５に設定することができる。
【００６１】
なお、ハッシュ値とは、ハッシュ関数を通して得られる値であり、ハッシュ関数とは、ドキュメントや数字などの文字列の羅列から一定長のデータに要約するための関数・手順のことをいう。
【００６２】
（実施の形態８）
実施の形態８によるオーディオシステムの構成は、実施の形態１から５に示した内容とそれぞれ同様のもの、すなわち、本発明を適用可能なものとする。また、本実施の形態は、図６、図９、図１４、図１５に示すように、実施の形態１から５に示した実施内容のうち、エンコードポリシーの生成、決定、設定などに関する処理が異なる。エンコードポリシー生成部６０はグループ分け手段を更に有するものである。
【００６３】
図９は、複数タグ情報グループ名毎エンコードポリシーの構造を示す概念図、図１４は、複数タグ情報グループ単位エンコードポリシーの生成処理を示すフローチャート、図１５は、複数タグ情報グループ単位エンコードポリシーの設定処理を示すフローチャートである。以下、これらの相違点について、説明する。
【００６４】
まず、エンコードポリシー生成部６０は、コンテンツに付けられたタグ情報のうちの複数の情報を読み込み、タグ情報のうちの複数の情報の内容によってグループ分けを行う（図１４の複数タグ情報によるグループ分けステップ５２０）。次に、グループ分けされた各グループ毎に、エンコードポリシー４０を解析し、複数タグ情報グループ名と対応付けて複数タグ情報グループ単位エンコードポリシー４３とする（複数タグ情報グループ単位エンコードポリシー解析ステップ５２１）。そして、複数タグ情報グループ単位エンコードポリシー４３を、プレイヤー内蔵メモリ１１０、オーディオコンポ内蔵メモリ２１０あるいはメモリカード３００の特定の部分または特定のファイルに書き込む（複数タグ情報グループ単位エンコードポリシー保存ステップ５２２）。ここで、複数タグ情報グループ名毎エンコードポリシー４３は、図９に示すように、複数タグ情報グループ名（複数タグ情報グループＡ、複数タグ情報グループＢ、・・・、複数タグ情報グループＸ）と、それぞれの複数タグ情報グループ名に対応するエンコードポリシー４０とからなる。
【００６５】
次に、エンコードポリシー決定手段としてのエンコードポリシー処理部７０は、プレイヤー内蔵メモリ１１０、オーディオコンポ内蔵メモリ２１０またはメモリカード３００に保存された複数タグ情報グループ単位エンコードポリシー４３を読み込む（図１５の複数タグ情報グループ単位エンコードポリシー読み込みステップ５２３）。次に、現在エンコードする対象であるコンテンツのタグ情報と複数タグ情報グループ単位エンコードポリシー４３内の複数タグ情報グループ名を比較することで、対応するエンコードポリシー４０を決定する（複数タグ情報グループ単位エンコードポリシー決定ステップ５２４）。ここで、タグ情報と複数タグ情報グループ名の比較は、文字列の比較またはハッシュ値の比較によって行なわれる。そして、エンコードポリシー４０をエンコーダ２０５に設定する（複数タグ情報グループ単位エンコードポリシー設定ステップ５２５）。
【００６６】
上記の点以外は実施の形態１から５に示した内容と同一のため、説明は省略する。
【００６７】
すなわち、本実施の形態によれば、複数タグ情報グループ単位毎に代表的なエンコードポリシー４０を決定し、各複数タグ情報グループ名とエンコードポリシー４０を対にして複数タグ情報グループ単位エンコードポリシー４２として保存しておくことにより、エンコード時には、複数タグ情報グループ単位エンコードポリシー４２と、エンコード対象のコンテンツのタグ情報を比較して、自動的に対象複数タグ情報グループのエンコードポリシー４０をエンコーダ２０５に設定することができる。
【００６８】
なお、上記各実施の形態において、プレイヤー内蔵メモリ１１０およびオーディオコンポ内蔵メモリ２１０は、ＳＤＲＡＭなどの記憶装置、フラッシュメモリなどの不揮発性記憶装置、またはハードディスクドライブなどの補助記憶装置であってもよい。
【００６９】
また、上記各実施の形態において、メモリカード３００は、フラッシュメモリ等の記憶素子、マイクロドライブ等のハードディスク型記憶素子であってもよい。
【００７０】
また、上記各実施の形態において、保存先フォルダ名生成手段を備えて、符号化対象のコンテンツのタグ情報から保存先フォルダ名を生成して、前記保存先フォルダ名のフォルダをプレイヤー内蔵メモリ１１０、オーディオコンポ内蔵メモリ２１０またはメモリカード３００に生成し、エンコーダ２０５で符号化されたコンテンツを記録してもよい。
【産業上の利用可能性】
【００７１】
本発明の音声信号処理装置は、サンプルデータや既存のデータから簡便にエンコードポリシーを生成および決定することができるので、簡単な操作で所望のエンコード処理を行なうことができ、種々の形態のオーディオ機器に有用である。
【図面の簡単な説明】
【００７２】
【図１】本発明の実施の形態１による音声信号処理装置の構成を示すブロック図
【図２】同実施の形態２による音声信号処理装置の構成を示すブロック図
【図３】同実施の形態３による音声信号処理装置の構成を示すブロック図
【図４】同実施の形態４による音声信号処理装置の構成を示すブロック図
【図５】同実施の形態５による音声信号処理装置の構成を示すブロック図
【図６】同各実施の形態におけるエンコードポリシーの構造を示す概念図
【図７】同実施の形態６における用途別フォルダ毎エンコードポリシーの構造を示す概念図
【図８】同実施の形態７におけるタグ情報グループ名毎エンコードポリシーの構造を示す概念図
【図９】同実施の形態８における複数タグ情報グループ名毎エンコードポリシーの構造を示す概念図
【図１０】同実施の形態６における用途別フォルダ毎エンコードポリシーの生成処理を示すフローチャート
【図１１】同実施の形態６における用途別フォルダ毎エンコードポリシーの設定処理を示すフローチャート
【図１２】同実施の形態７におけるタグ情報グループ単位エンコードポリシーの生成処理を示すフローチャート
【図１３】同実施の形態７におけるタグ情報グループ単位エンコードポリシーの設定処理を示すフローチャート
【図１４】同実施の形態８における複数タグ情報グループ単位エンコードポリシーの生成処理を示すフローチャート
【図１５】同実施の形態８における複数タグ情報グループ単位エンコードポリシーの生成処理を示すフローチャート
【符号の説明】
【００７３】
２０    サンプルデータ
３０    既存データ
４０    エンコードポリシー
５０    エンコード済みデータ
６０    エンコードポリシー生成部
７０    エンコードポリシー処理部
１００    プレイヤー
１０１    演算制御部
１０２    主記憶装置
１０３    操作入力装置
１０６    デコーダ
１０７    出力装置
１１０    プレイヤー内蔵メモリ
１８０    プレイヤー側インタフェース
１９０    プレイヤー側メモリカードインタフェース
２００    オーディオコンポ
２０１    演算制御部
２０２    主記憶装置
２０３    操作入力装置
２０４    コンテンツソース
２０５    エンコーダ
２０６    デコーダ
２０７    出力装置
２１０    オーディオコンポ内蔵メモリ
２８０    コンポ側インタフェース
２９０    コンポ側メモリカードインタフェース
３００    メモリカード
【図１】
2007141281.tif 000003
【図２】
2007141281.tif 000004
【図３】
2007141281.tif 000005
【図４】
2007141281.tif 000006
【図５】
2007141281.tif 000007
【図６】
2007141281.tif 000008
【図７】
2007141281.tif 000009
【図８】
2007141281.tif 000010
【図９】
2007141281.tif 000011
【図１０】
2007141281.tif 000012
【図１１】
2007141281.tif 000013
【図１２】
2007141281.tif 000014
【図１３】
2007141281.tif 000015
【図１４】
2007141281.tif 000016
【図１５】
2007141281.tif 000017